【手続補正書】
【提出日】平成17年10月11日(2005.10.11)
【手続補正１】
【補正対象書類名】明細書
【補正対象項目名】特許請求の範囲
【補正方法】変更
【補正の内容】
【特許請求の範囲】
【請求項１】  少なくとも２つの表示素子と、前記少なくとも２つの表示素子に表示された映像を異なる方向から拡大投影する少なくとも２つの投影光学系と、前記少なくとも２つの投影光学系で投影された像近傍に配置された共通の拡散板と、前記投影光学系各々の射出瞳を観察者側に投影する共通の接眼光学系とを備えていることを特徴とする投影観察装置。
【請求項２】  少なくとも２つの表示素子と、前記少なくとも２つの表示素子に表示された映像を異なる方向から拡大投影する少なくとも２つの投影光学系と、前記少なくとも２つの投影光学系で投影された像近傍に配置された共通の透過型ホログラムからなる拡散板と、前記投影光学系各々の射出瞳を観察者側に投影する共通の凹面鏡からなる接眼光学系とを備えていることを特徴とする投影観察装置。
【請求項３】  前記投影光学系の光軸の何れか一方が前記接眼光学系と交差し、交差する点における前記接眼光学系の垂線とその光軸とのなす角が１０°以上であることを特徴とする請求項１又は２記載の投影観察装置。
【請求項４】  前記投影光学系の少なくとも１つは、屈折率（ｎ）が１よりも大きい（ｎ＞１）媒質で形成された偏心プリズムを１個以上備えた偏心プリズム光学系からなり、前記偏心プリズムは、表示素子から射出された光束をプリズム内に入射する入射面と、その光束をプリズム内で反射する少なくとも１つの反射面と、光束をプリズム外に射出する射出面とを有し、その少なくとも１つの反射面が曲面形状を有し、その曲面形状が偏心によって発生する収差を補正する回転非対称な面形状にて構成されていることを特徴とする請求項１から３の何れか１項記載の投影観察装置。
【請求項５】  前記凹面鏡がフレネル凹面反射鏡からなることを特徴とする請求項２記載の投影観察装置。
【請求項６】  前記投影光学系から装置の射出瞳に至る光線が前記透過型ホログラムからなる拡散板を２回透過する配置において、１回目に前記透過型ホログラムからなる拡散板を透過する角度と、２回目に前記透過型ホログラムからなる拡散板を透過する角度とが異なるように配置されていることを特徴とする請求項２記載の投影観察装置。
【請求項７】  前記透過型ホログラムからなる拡散板が、光強度が半値全幅で２０°以下であることを特徴とする請求項２記載の投影観察装置。
【請求項８】  前記透過型ホログラムからなる拡散板が、光強度が１／１０になる全幅の拡散角が４０°以下以下であることを特徴とする請求項２記載の投影観察装置。
【請求項９】  前記投影光学系からの軸上主光線が前記凹面鏡に斜めに入射するように配置されていることを特徴とする請求項２記載の投影観察装置。
【請求項１０】  前記透過型ホログラムの１回目及び２回目透過時に回折されてない０次光が装置の射出瞳に入射しないように構成されていることを特徴とする請求項２記載の投影観察装置。
【請求項１１】  装置の射出瞳の位置で、前記透過型ホログラムの１回目及び２回目透過時に回折されてない０次光がその射出瞳の中心からその瞳径の２分の１以上離れて入射するように構成されていることを特徴とする請求項２記載の投影観察装置。
【請求項１２】  前記透過型ホログラムからなる拡散板が、回折による屈曲作用を有することを特徴とする請求項２記載の投影観察装置。
【請求項１３】  前記透過型ホログラムからなる拡散板によるｄ線の光軸の屈曲角をγとするとき、
γ＞１°                                              ・・・（７）
の条件を満足することを特徴とする請求項１２記載の投影観察装置。
【請求項１４】  前記透過型ホログラムからなる拡散板によるｄ線の光軸の屈曲角をγとするとき、
γ＜４５°                                            ・・・（８）
の条件を満足することを特徴とする請求項１２記載の投影観察装置。
【請求項１５】  前記透過型ホログラムからなる拡散板による波長７００ｎｍの光と波長４００ｎｍの光の間の光軸の回折角の差が１８°以下であることを特徴とする請求項２記載の投影観察装置。
【請求項１６】  装置の射出瞳の位置で、波長７００ｎｍの光軸と波長４００ｎｍの光軸の入射位置の差が射出瞳の瞳径の２分の１以下であることを特徴とする請求項２記載の投影観察装置。
【請求項１７】  前記凹面鏡へのｄ線の光軸の入射角をβとすると、
０°＜β＜４５°                                      ・・・（９）
の関係を満たすことを特徴とする請求項２記載の投影観察装置。
【請求項１８】  前記透過型ホログラムからなる拡散板によるｄ線の光軸の屈曲角をγ、前記凹面鏡へのｄ線の光軸の入射角をβとすると、
０．０１＜γ／β＜１０００                          ・・・（１０）
の関係を満たすことを特徴とする請求項２記載の投影観察装置。
【請求項１９】  前記投影光学系の光軸の何れか一方が前記接眼光学系と交差し、交差する点における前記接眼光学系の垂線とその光軸とのなす角が１０°以上であることを特徴とする請求項２記載の投影観察装置。
【請求項２０】  前記投影光学系の少なくとも１つは、屈折率（ｎ）が１よりも大きい（ｎ＞１）媒質で形成された偏心プリズムを１個以上備えた偏心プリズム光学系からなり、前記偏心プリズムは、表示素子から射出された光束をプリズム内に入射する入射面と、その光束をプリズム内で反射する少なくとも１つの反射面と、光束をプリズム外に射出する射出面とを有し、その少なくとも１つの反射面が曲面形状を有し、その曲面形状が偏心によって発生する収差を補正する回転非対称な面形状にて構成されていることを特徴とする請求項２記載の投影観察装置。
【請求項２１】  前記偏心プリズムの少なくとも１つが、前記表示素子からの光束をプリズム内に入射させる入射面と、その入射面からプリズム内に入射した光束をプリズム内で反射する第１反射面と、その第１反射面で反射された光束をプリズム内で反射する第２反射面と、その第２反射面で反射された光束をプリズム外に射出する射出面とを備え、その入射面から第１反射面へ向かう光束と第２反射面から射出面へ向かう光束とがプリズム内で交差する面配置の偏心プリズムからなることを特徴とする請求項２０記載の投影観察装置。
【請求項２２】  前記偏心プリズムの少なくとも１つが、前記表示素子からの光束をプリズム内に入射させる入射面と、その入射面からプリズム内に入射した光束をプリズム内で反射する第１反射面と、その第１反射面で反射された光束をプリズム内で反射する第２反射面と、その第２反射面で反射された光束をプリズム外に射出する射出面とを備え、その入射面と第２反射面とを１面で兼用した偏心プリズムからなることを特徴とする請求項２０記載の投影観察装置。
【請求項２３】  前記偏心プリズム光学系は面対称形状に構成され、その投影光学系の光軸が前記接眼光学系と交差する点における前記接眼光学系の垂線とその光軸がなす角が１０°以上であることを特徴とする請求項２０記載の投影観察装置。
【請求項２４】  前記交差する点を略含むように前記偏心プリズム光学系の対称面が配置され、前記偏心プリズム光学系に対応する前記表示素子の表示画面の縦又は横方向が前記接眼光学系近傍に投影されたときに、前記接眼光学系の縦又は横方向と略一致するように、前記偏心プリズム光学系の物体面に前記表示素子が配置されていることを特徴とする請求項２０記載の投影観察装置。
【手続補正２】
【補正対象書類名】明細書
【補正対象項目名】０００９
【補正方法】変更
【補正の内容】
【０００９】
【特許文献７】特開２００１−２８１５８３号公報